(57)【要約】【課題】可能な限り簡単な構造で、かつ利用者が携帯電話装置を操作している際にも、通話の発着信又はメールの送受信の確認が可能な携帯電話装置を提供すること。【解決手段】その内部に駆動部と、通話の発着信又はメールの送受信時に発生する信号を受けて、該駆動部を制御するための制御部とを具備する携帯電話装置において、画面の上部又は下部に可動部が設けられてなり、該可動部が該駆動部に連結されてなることを特徴とする、携帯電話装置。【選択図】図１４
2011050023.tif 000002
【特許請求の範囲】
【請求項１】
その内部に駆動部と、通話の発着信又はメールの送受信時に発生する信号を受けて、該駆動部を制御するための制御部とを具備する携帯電話装置において、画面の上部又は下部に可動部が設けられてなり、該可動部が該駆動部に連結されてなることを特徴とする、携帯電話装置。
【請求項２】
可動部の動作が、回転、上下左右への移動及び／又は傾斜である、請求項１に記載の携帯電話装置。
【請求項３】
可動部が着脱自在の構造を有する、請求項１又は２に記載の携帯電話装置。
【発明の詳細な説明】
【技術分野】
【０００１】  本発明は携帯電話装置に関する。
【背景技術】
【０００２】  従来の携帯電話機では、着信をブザー音やメロディーで告知する方法や着信時の電磁波に反応して発光したり振動することで告知する方法のほか、液晶画面における文字や絵の様々な動きによるデジタルで２次元的な告知方法が用いられていた。
また、それらの携帯電話機はデザイン性や技術において様々な進歩と共に、人の感性に“飽きる”を植えつけたが、携帯電話機本体は高額であるために新機種交換・追加が容易に出来なかった。同時に携帯電話機は“使い捨て”であり環境問題や資源問題における不要な携帯電話機の回収リサイクルの必要性が求められていた。【０００３】  特許文献１では、携帯電話機に着信があると、ストラップに付属している小形の人形が動き出すようにして、携帯電話装置のゲーム性を高いものにする技術が開示されている。
【先行技術文献】
【特許文献】
【０００４】
【特許文献１】特開２０００−２３６３７１号公報
【発明の概要】
【発明が解決しようとする課題】
【０００５】  ストラップを介した人形等を動作させることは、例えばラジコンと呼ばれるものであり人形等の可動部に電磁波を感知するセンサーや駆動方法がさらに必要となるという課題があった。さらに、利用者が携帯電話装置を操作している際には、ストラップの動きに気が付きにくいという課題もある上、衣類のポケットやカバン等の狭い場所では動作不良や故障する課題があった。
“飽きる”という上では、携帯電話機本体を新機種に買い換えたり、もしくは追加機種として入手する必要があり、常に高額であるという課題があった。また、その度に発生する使い捨て・廃棄における回収・リサイクルという課題があった。【０００６】  従って、本発明の課題は、可能な限り簡単な構造で、かつ利用者が携帯電話装置を操作している際にも、通話の発着信又はメールの送受信の確認が可能な携帯電話装置を提供することにある。さらには、本体はそのままで、可動部分を交換することで安価で多種多様な新機種を手に入れられる“着せ替え携帯電話装置”を提供することにある。さらには、そのコレクション性により不要携帯電話を削減することにある。
【課題を解決するための手段】
【０００７】  即ち、本発明の要旨は、その内部に駆動部と、通話の発着信又はメールの送受信時に発生する信号を受けて、該駆動部を制御するための制御部とを具備する携帯電話装置において、画面の上部又は下部に可動部が設けられてなり、該可動部が該駆動部に連結されてなることを特徴とする携帯電話装置に関する。
【発明の効果】
【０００８】  本発明の携帯電話装置は、外部に駆動部等の機構が不要であり、かつ利用者が携帯電話装置を操作している際にも、画面上に設けられた可動部が動作するので、通話の発着信又はメールの送受信を容易に確認できるという効果を発揮する。さらには、可動部を着脱自在とすることにより、着せ替え携帯電話装置を安価に、あるいは新機種として提供できるという効果を発揮する。
【図面の簡単な説明】
【０００９】
【図１】図１は本体斜視図である。
【図２】図２は本体正面図である。
【図３】図３は図２のＡ−Ａ´断面図である。
【図４】図４は本体と着せ替え部（７）の合体側面図である。
【図５】図５は本体と着せ替え部（７）の合体正面図である。
【図６】図６は図５のＢ−Ｂ´断面図である。
【図７】図７は本体正面図である。
【図８】図８は着せ替え部（７）の内部構造図である。
【図９】図９は送風装置付き携帯電話装置の側面図である。
【図１０】図１０は回転ドラムを設置した正面図である。
【図１１】図１１は本体の内部構造図である。
【図１２】図１２は外付け部品（１０）の構造図である。
【図１３】図１３はデスクトップパソコンの正面図である。
【図１４】図１４は本体の別態様の正面図である。
【図１５】図１５は図６の別態様図である。
【図１６】図１６は図６の別態様図である。
【図１７】図１７は樹脂成型における各部品のランナー内の配置例である。
【図１８】図１８は図１６の別態様図である。
【発明を実施するための形態】
【００１０】  駆動部と、通話の発着信又はメールの送受信時に発生する信号を受けて、該駆動部を制御するための制御部とは、公知の携帯電話装置において通常具備されている機構であり、本発明の携帯電話装置においては、かかる該駆動部及び制御部をそのまま利用することができる。
【００１１】  本発明の携帯電話装置においては、携帯電話装置の画面の上部又は下部に可動部が設けられており、かつ該可動部が該駆動部に連結されてなることが一つの特徴である。
【００１２】  可動部としては、例えば人、植物、動物、乗り物、文房具、武具、アニメや映画等のキャラクターが挙げられる。
【００１３】  可動部と携帯電話装置の内部にある駆動部との連結の態様としては、例えば、携帯電話装置の内部のバイブレーター用モーターの可動軸を突出させて、可動部と連結する態様が挙げられる。この場合、バイブレーターの振動がそのまま可動部に伝達される。
【００１４】  可動部の動作としては特に制限されないが、回転、凸凹、上下左右への移動及び／又は傾斜があげられる。これらは、ベルト、プーリー、カム、シリンダー及び／又はクランクを適宜組み合わせて実現できる。
【００１５】  可動部を着脱自在の構造とすることができる。これにより、携帯電話装置本体の交換又は可動部の交換が可能となる。可動部としては、たとえば携帯電話装置本体のカバーとすることもでき、この場合、いわゆる着せ替え携帯電話装置を実現することができる。
【００１６】  可動部の一例として、車輪又はベルトを備えたシャーシ状の構造を挙げることができる。この場合、発着信時又は送受信時に、携帯電話装置本体が乗り物のように移動することとなり、発着信又は送受信を視覚的に認識しやすい。あるいは、可動部の一例として、携帯電話装置本体に略直立する軸と、当該軸に糸を介して連結した部品とから構成される構造を挙げることができる。この場合、発着信時又は送受信時に、連結した部品が回転ブランコやメリーゴーランド様の動作をすることとなり、発着信又は送受信を視覚的に認識しやすい。
【００１７】  次に、図を参照しつつ、実施例を挙げて本発明をさらに具体的に説明する。
【００１８】  図１は、本体上部（１）と本体下部（２）から成る本案折り畳み式の携帯電話装置である。本体上部（１）には図２に示すビス孔（ａ）と貫通孔（ｂ）に取り外し可能な保護キャップ（ｒ）が嵌め込まれている。この態様でも携帯電話機能を果たす。
【００１９】  図２は、本案折り畳み式の携帯電話装置の上部（１）に、ビス孔（ａ）を４箇所設けている。但し、図１に示したビス孔（ａ）と貫通孔（ｂ）の保護キャップ（ｒ）は外されている。上部（１）の表面には貫通孔（ｂ）があり、上部（１）内部から、連結部品（３）が覗く。ここでの上部（１）の表面は平面体である。本発明の携帯電話装置とはヒンジ等による折り畳み式の携帯電話装置の形態、画面部の回転自由型の携帯電話装置の形態、一体型（ｉＰｏｄ等）の携帯電話装置の形態、旧一体型の携帯電話装置の形態、これら全てのタイプの携帯電話装置の形態に適用可能である。
【００２０】  図３において、送受信すると上部（１）内にリブ（ｃ）により固定された超小型モーター（５）の回転力は、そのモーター軸（６）に設置されたギヤ（４）から連結部品（３）を介して貫通孔（ｂ）を通り外部へ伝導される。また自動車のクラッチやマグネットの磁力による伝導方法も可能である。図１６に示す。超小型モーター（５）はシコー株式会社製を参考例とする。
【００２１】  ここでの上部（１）はセンターパートライン（ｐｌ１）により分割されしもので構成されている。また下部（２）はセンターパートライン（ｐｌ２）により分割されしもので構成されている。いずれも変形のパートラインによる構成でも構わない。また、前述機能は従来の携帯電話装置にあってもよい。
【００２２】  図４は、上部（１）と下部（２）よりなる本案折り畳み式の携帯電話装置にコレクション性のある着せ替え部（７）が付いている。ここでの上部（１）はセンターパートライン（ｐｌ１）により分割されしもので構成されている。また下部（２）はセンターパートライン（ｐｌ２）により分割されしもので構成されている。着せ替え部（７）はセンターパートライン（ｐｌ７）により分割されしもので構成されている。いずれも変形のパートラインによる構成でも構わない。
【００２３】  図５は、着せ替え部（７）が四方のビス（ｄ）により本案携帯電話装置に固定されている。固定方法は、従来の携帯電話装置のバッテリー収納に見られる金型のコアとキャビを駆使した突き合せ・すり合わせで得られるリブによる方法も可能である。ここでの着せ替え部（７）はハト時計、からくり時計やメーター、方位磁石などに見られる回転体（ｅ）の動きによりアナログ的で三次元的な視覚効果が生まれる。また、アナログ機能部（８）を数箇所設置したり、それぞれに発光してもよく、高級時計に見られるスケルトン機能部（ｆ）を設置することも可能でアナログ的で三次元的な視覚効果をさらに発揮する。着せ替え部（７）は時計収集やからくり玩具収集と同様のコレクション効果があり、本案携帯電話装置同様に使い捨て・廃棄といった問題を軽減できる。また回転体（ｅ）はいくつあってもよく図１４の態様も可能である。回転体（ｅ）を扇風機や送風機に見られる羽根の形状にすることで、その回転力で風を生み出す触覚効果が生まれる。またそれらの回転体（ｅ）に穴を開けることでデジタル音ではないアナログ的な音が生まれる。別態様は図９に示す。
【００２４】  ここでの着せ替え部（７）のアナログ的で三次元的な動きは、送受信時に関わらず従来の携帯電話装置にある設定機能で随時稼動であることを特徴とする。また、前述機能は従来の携帯電話装置にあってもよい。
【００２５】  図６は上部（１）と下部（２）よりなる本案折り畳み式の携帯電話装置に着せ替え部（７）が設置されている。ここでの着せ替え部（７）は図５に示す態様である。
【００２６】  送受信すると超小型モーター（５）で生まれた回転力が連結部品（３）を介し、連動軸（９）によりギヤ（４）と回転体（ｅ）を駆動する。またギヤ（４）は別のアナログ機能部（８）やスケルトン機能部（ｆ）（図面表記無し）に連動する。着せ替え部（７）には透明体（ｇ）が設けられている。透明体（ｇ）はレンズ形状でもよい。
【００２７】  ここでの着せ替え部（７）は、センターパートライン（ｐｌ７）により分割されしもので、接着剤やビス留めや超音波接着されている。いずれも変形のパートラインでも構わない。別態様は図１５に示す。
【００２８】  ここでの着せ替え部（７）のアナログ的で三次元的な動きは、送受信時に関わらず従来の携帯電話装置にある設定機能で随時稼動であることを特徴とする。また、前述機能は従来の携帯電話装置にあってもよい。
【００２９】  図７は、本案折り畳み式の携帯電話装置の下部（２）に着せ替え部（７）を設置している。ここでの着せ替え部（７）は上部（１）でもよい。
【００３０】  図８は、送受信すると着せ替え部（７）に設置された超小型モーター（５）により生み出された回転力が連結部品（３）とベルト（ｉ）と別方向のギヤ（４）を介して、可動体（ｈ）に上下の動きを伝達する。ここでの可動体（ｈ）は乗り物である。可動体（ｈ）は動物や植物・漫画や映画のキャラクターでもよく、それらの多彩な変化によりコレクション性が高まる。
【００３１】  ここでの着せ替え部（７）のアナログ的で三次元的な動きは、送受信時に関わらず従来の携帯電話装置にある設定機能で随時稼動であることを特徴とする。また、前述機能は従来の携帯電話装置にあってもよい。
【００３２】  図９は、送受信すると折り畳み式の携帯電話装置の上部（１）に超小型モーター（図面表記無し）から連動した回転ファン（ｊ）により風が生まれる。ファン（ｊ）には、臭い板や芳香剤に見られるジェル状のものを設置することで、臭覚にも効果が現れる。また、前述機能は本案の着せ替え部（７）であってもよい。
【００３３】  ここでのアナログ的で三次元的な動きは、送受信時に関わらず従来の携帯電話装置にある設定機能で随時稼動であることを特徴とする。また、前述機能は従来の携帯電話装置にあってもよい。
【００３４】  図１０は、送受信すると本案の着せ替え部（７）に設置された超小型モーター（図面表記無し）から連動されて３つの回転ドラム（ｋ）がそれぞれ不規則に回転を始める。時限的に静止して、ある一定の数字や文字・絵が揃うと当たり効果が生まれる。これにより着受信が待ち遠しい楽しみが生まれ、送受信の相互側に通話料の増加が見込まれる。またガラガラくじのように回転ドラム（ｋ）に玉を入れることで、デジタル音ではないアナログ音が生まれる。
【００３５】  ここでのアナログ的で三次元的な動きは、送受信時に関わらず従来の携帯電話装置にある設定機能で随時稼動であることを特徴とする。また、前述機能は従来の携帯電話装置にあってもよい。
【００３６】  図１１は、送受信すると本案の着せ替え部（７）に設置された超小型モーター（図面表記無し）から連動軸（９）を介して回転体（ｅ）を駆動する。ここでの回転体（ｅ）は楕円形状であり左右に設置されたゴムやシリコン樹脂・ＥＶＡ・ポリエチレンなどの軟質板（１）を押し広げて指圧やマッサージと同様のアナログ的な体感効果で着受信を告知する。ここでの軟質板（１）は着せ替え部（７）をすべて覆う態様でもよい。また前述機能は従来の携帯電話装置にあってもよい。
ここでのアナログ的で三次元的な動きは、送受信時に関わらず従来の携帯電話装置にある設定機能で随時稼動であることを特徴とする。
【００３７】  図１２の着せ替えは外付け部品（１０）である。外付け部品（１０）は本案の上部（１）の貫通孔（ｂ）を連動軸（９）が通り、上部（１）に内蔵の超小型モーター（５）から連結部品（３）を介して、外付け部品（１０）のアナログ機能を駆動する。ここでの前述機能は本案の上部（１）下部（２）のどこにあってもよい。また、外付け部品（１０）はコレクション性を生み出す。
【００３８】  ここでのアナログ的で三次元的な動きは、送受信時に関わらず従来の携帯電話装置にある設定機能で随時稼動であることを特徴とする。また、前述機能は従来の携帯電話装置にあってもよい。
【００３９】  図１３は、モニター（ｐ）とタワー（ｏ）とキーボード（ｑ）から成るデスクトップパソコンにおける外付け部品（図面表示無し）のタワー設置位置例（ｍ）とモニター設置位置例（ｎ）である。外付け部品（図面表示無し）の可動方法は、タワー（ｏ）においては冷却ファンモーターを利用できる。モニター（ｐ）とキーボード（ｑ）においては新たなモーターを必要とする。ここでの外付け部品（図面表示無し）は従来のメールの送受信時における電磁波によって駆動することで視覚効果を生む。また、テレビにおいても双方向による電磁波や緊急速報における電磁波の違いよって駆動することで視覚効果を生む。
【００４０】  図１４は図５の説明における回転体（ｅ）を多数設置した態様である。回転体（ｅ）は、花びらや星・宝石・雪の結晶・幾何学的なものを蓄光・発光させることも可能である。ここでのアナログ的で三次元的な動きは、送受信時に関わらず従来の携帯電話装置にある設定機能で随時稼動であることを特徴とする。また、前述機能は従来の携帯電話装置にあってもよい。
【００４１】  図１５は図６の別態様である。ここでの着せ替え部（７）は、キャビ側パートライン（ｐｌ３）とした１部品でカバーと成し、本体上部（１）に設置されている。キャビ側パートライン（ｐｌ３）は変形のパートラインでも構わない。また、前述機能は従来の携帯電話装置にあってもよい。
【００４２】  図１６は、超小型モーター（５）の回転力が連結部品（３）に連動するクラッチ部品（１１）により外部のクラッチ部品（１１）に伝導する。機能部（ｓ）は摩擦を生じるギザギザや凹凸の表面である。また機能部（ｓ）はマグネットでもよく、その磁力により外部に伝導する方法も可能である。また、前述機能は従来の携帯電話装置にあってもよい。
【００４３】  図１７は、着せ替え部（７）をプラモデルとした場合の、樹脂成型における各部品のランナー内の配置例である。ゲート位置はサイドゲート・ピンゲート・トンネルゲート等すべて可能である。これらを別売もしくは販促用のプラモデルとした形態にすることで安価な着せ替え部（７）を提供する。またキャラクター等を使用することで各種イベントなどの短期間への対応も可能であり宣伝効果も期待できる。ランナー（１２）は、本体上部（１）と本体下部（２）と回転体の金型でいう一面例であり、ランナー（１３）は、ギヤ（４）の金型でいう一面例であり、ランナー（１４）は、透明体（ｇ）の金型でいう一面例である。
【００４４】  図１８は、着せ替え部（７）の表面を可動部品（ｔ）が図１６に示す機能部（ｓ）の機能により動く。ここでの可動部品（ｔ）はブロー成型・インジェクション成型・押し出し成型・抜き型等で得られ、また金属や木製や布製でも可能である。また、前述機能は従来の携帯電話装置にあってもよい。
【産業上の利用可能性】
【００４５】  本発明の携帯電話装置は、一般の携帯電話装置として利用することができる。
【符号の説明】
【００４６】１  本体上部
２  本体下部
３  連結部品
４  ギヤ
５  超小型モーター
６  超小型モーターの軸
７  着せ替え部
８  アナログ機能部
９  連動軸
１０  外付け部品
１１  クラッチ部品
１２  本体上部（１）と本体下部（２）と回転体（ｅ）用ランナー
１３  ギヤ（４）用ランナー
１４  透明体（ｇ）用ランナー
ｐｌ１  本体上部（１）のセンターパートライン
ｐｌ２  本体下部（２）のセンターパートライン
ｐｌ３  着せ替え部（７）のキャビ側パートライン
ｐｌ７  着せ替え部（７）のセンターパートライン
ａ  ビス孔
ｂ  貫通孔
ｃ  リブ
ｄ  ビス
ｅ  回転体
ｆ  スケルトン機能部
ｇ  透明体
ｈ  可動体
ｉ  ベルト
ｊ  回転ファン
ｋ  回転ドラム
ｌ  軟質板
ｍ  タワー設置位置例
ｎ  モニター設置位置例
ｏ  タワー
ｐ  モニター
ｑ  キーボード
ｒ  保護キャップ
ｓ  機能部
ｔ  可動部品
【図１】
2011050023.tif 000003
【図２】
2011050023.tif 000004
【図３】
2011050023.tif 000005
【図４】
2011050023.tif 000006
【図５】
2011050023.tif 000007
【図６】
2011050023.tif 000008
【図７】
2011050023.tif 000009
【図８】
2011050023.tif 000010
【図９】
2011050023.tif 000011
【図１０】
2011050023.tif 000012
【図１１】
2011050023.tif 000013
【図１２】
2011050023.tif 000014
【図１３】
2011050023.tif 000015
【図１４】
2011050023.tif 000016
【図１５】
2011050023.tif 000017
【図１６】
2011050023.tif 000018
【図１７】
2011050023.tif 000019
【図１８】
2011050023.tif 000020